(57)【要約】【課題】被写体光束を可動ミラーによって記録用撮像素子側と観察用光学ファインダに切り換えると共にライブビュー表示用の撮像素子と記録用撮像素子の２つの撮像素子を具備した一眼レフレックスカメラにおいて、撮像動作時における撮像素子の切換のタイムラグの影響が最小となるようにする。【解決手段】被写体像を記録用に撮像するメインＣＣＤ１４と、被写体像観察光学系中に配置されたサブＣＣＤ２４と、この２つのＣＣＤに被写体光束の導く光路を切り換える可動ミラー１２を具備し、サブＣＣＤ２４の出力に基づいてＬＣＤモニタ３１にライブビューが表示されている状態で撮像動作の指示がなされた場合、可動ミラー１２が光路から退避している間にサブＣＣＤ２４を停止状態にするとともにメインＣＣＤ１４の駆動を開始させる。【選択図】  図１
2007243561.tif 000002
【特許請求の範囲】
【請求項１】
非撮像時には、撮影レンズによって結像された被写体像を光学ファインダによって観察可能とし、撮像時には光路から退避して上記撮影レンズによって結像された被写体像を記録用の第１の撮像素子に撮像させる反射ミラーを有する一眼レフレックスカメラにおいて、
上記非撮影時に、上記撮影レンズによって結像された被写体像をライブビュー観察用として撮像する第２の撮像素子と、
少なくとも上記第２の撮像素子によって撮像された被写体像をライブビューとして表示させる表示手段と、
撮像動作を指示するレリーズ手段と、
上記第１及び第２の撮像素子を選択的に制御する制御手段と、
を具備し、
上記制御手段は、上記第２の撮像素子が駆動され上記表示手段にライブビューが表示されている状態で上記撮像動作の指示がなされた場合に、上記反射ミラーを上記光路から退避させるための駆動を開始させ、更に、上記反射ミラーが上記退避側へ駆動されている最中に、上記第２の撮像素子を停止状態にするとともに上記第１の撮像素子の駆動を開始させるように制御することを特徴とする一眼レフレックスカメラ。
【請求項２】
上記制御手段は、上記第２の撮像素子を停止状態とした際に、上記第２の撮像素子によって蓄積された撮像データを廃棄するように制御することを特徴とする請求項１に記載の一眼レフレックスカメラ。
【請求項３】
上記制御手段は、上記第１の撮像素子の駆動による静止画の撮像中、上記表示手段に表示されているライブビュー像を消失させ、撮像動作中であることを表示させるようにしたことを特徴とする請求項１に記載の一眼レフレックスカメラ。
【請求項４】
上記制御手段は、上記第１の撮像素子の駆動による静止画の撮像中及び、静止画の撮像が終了した後であって上記第１の撮像素子の駆動を停止状態にしてから上記第２の撮像素子の駆動開始までの間、上記表示手段の表示を撮像動作中であることを示す表示としたことを特徴とする請求項１に記載の一眼レフレックスカメラ。
【請求項５】
上記撮像動作中であることを示す表示は、上記表示手段の表示の色を単色で示すようにしたことを特徴とする請求項２または４に記載の一眼レフレックスカメラ。
【請求項６】
非撮像時には、撮影レンズによって結像された被写体像を光学ファインダによって観察可能とし、撮像時には光路から退避して上記撮影レンズによって結像された被写体像を記録用の第１の撮像素子に撮像させる反射ミラーを有する一眼レフレックスカメラにおいて、
上記非撮像時に、上記撮影レンズによって結像された被写体像をライブビュー観察用として撮像する第２の撮像素子と、
少なくとも上記第２の撮像素子によって撮像された被写体像をライブビューとして表示させる表示手段と、
撮像動作を指示するレリーズ手段と、
上記第１及び第２の撮像素子を選択的に制御する制御手段と、
を具備し、
上記制御手段は、上記表示手段にライブビューが表示されている状態で上記撮像動作の指示がなされた場合に、上記反射ミラーを上記光路から退避させるための駆動を開始させるとともに上記第２の撮像素子を停止状態にして上記表示手段の表示の色を単色で表示させ、その後、上記第１の撮像素子の駆動による静止画の撮像終了後に上記第２の撮像素子の駆動を開始させた後に上記表示手段をライブビュー表示となるように制御することを特徴とする一眼レフレックスカメラ。
【発明の詳細な説明】
【技術分野】
【０００１】
本発明は、複数の撮像素子を有する一眼レフレックスカメラに関し、詳しくは、撮像素子が取得した画像を表示装置に表示する所謂ライブビュー表示機能（スルー画表示機能、電子ファインダ機能とも言う）を有する一眼レフレックスカメラに関する。
【背景技術】
【０００２】
従来のデジタルカメラにおいては、被写体像の観察は、光学式ファインダにより行っていたが、最近は、光学式ファインダをなくし、または光学式ファインダを設けると共に撮像素子の出力を利用してライブビュー表示するデジタルカメラが提案されている。例えば、特許文献１には、静止画像データ記録用のメイン撮像素子とは別に、ファインダ光路中に動画撮影用のサブ撮像素子を装着可能とし、撮像素子の装着時には、この撮像素子の出力に基づき被写体像を表示装置にライブビュー表示できるデジタル一眼レフレックスカメラが開示されている。
【０００３】
【特許文献１】特開２０００−１７５１００
【発明の開示】
【発明が解決しようとする課題】
【０００４】
特許文献１に示されるデジタルカメラは、被写体光束を静止画記録用の撮像素子側と光学ファインダのいずれかに光路を切り換えるタイプの一眼レフレックスカメラであり、このタイプで被写体像をモニタ装置で観察するには、その間、ファインダ光路中の可動ミラーをアップして記録用撮像素子側に被写体光束を導く必要がある。可動ミラーをアップしてしまうことにより光学ファインダによる被写体像の観察を行うことができない。そこで、静止画記録用の撮像素子と被写体像観察用の撮像素子と２つの撮像素子を設け、一つのＣＰＵ（Central Processing Unit）で制御することが考えられる。しかし、それぞれの撮像素子を高速で切り換えることができずタイムラグが発生し、シャッタチャンスを逃すおそれがある。
これを解決するには、高速の撮像素子（例えば、フル画素で５０駒／秒以上）を使用し、かつ、高速制御可能な一つのＣＰＵを使用すればよい。しかし、高速の撮像素子やＣＰＵは高価であり、また大容量のメモリも必要となり、さらに記録速度を速めたりしなければならない等、技術的に超えなければならない壁も高くなってしまう。また、別の解決策として、可動ミラーを使わずにハーフミラーを用い、被写体光束を、撮像素子側と光学ファインダ側に分割、または記録用撮像素子側と観察用撮像素子側に分割することも考えられる。しかし、ハーフミラーを使用するために被写体光量が減少してしまうという問題点がある。
【０００５】
本発明はこのような事情に鑑みてなされたものであって、被写体光束を可動ミラーによって記録用撮像素子側と観察用光学ファインダに切り換える一眼レフレックスカメラにおいて、ライブビュー表示用の撮像素子（例えば、フル画素でも５駒／秒以下）と記録用の撮像素子の２つの撮像素子を使用した場合に、これらの撮像素子の切換のタイムラグの影響が最小となるように、即ち、切換に時間がかかっても静止撮像の時間が長くならないようにした一眼レフレックスカメラを提供することを目的とする。
【課題を解決するための手段】
【０００６】
上記目的を達成するために本発明の第１の発明に係わる一眼レフレックスカメラは、非撮像時には、撮影レンズによって結像された被写体像を光学ファインダによって観察可能とし、撮像時には光路から退避して上記撮影レンズによって結像された被写体像を記録用の第１の撮像素子に撮像させる反射ミラーを有する一眼レフレックスカメラにおいて、上記非撮影時に、上記撮影レンズによって結像された被写体像をライブビュー観察用として撮像する第２の撮像素子と、少なくとも上記第２の撮像素子によって撮像された被写体像をライブビューとして表示させる表示手段と、撮像動作を指示するレリーズ手段と、上記第１及び第２の撮像素子を選択的に制御する制御手段を具備し、上記制御手段は、上記第２の撮像素子が駆動され上記表示手段にライブビューが表示されている状態で上記撮像動作の指示がなされた場合に、上記反射ミラーを上記光路から退避させるための駆動を開始させ、更に、上記反射ミラーが上記退避側へ駆動されている最中に、上記第２の撮像素子を停止状態にするとともに上記第１の撮像素子の駆動を開始させるように制御することを特徴とする。
具備したことを特徴とする。
【０００７】
また、第２の発明は、上記第１の発明において、上記制御手段は、上記第２の撮像素子を停止状態とした際に、上記第２の撮像素子によって蓄積された撮像データを廃棄するように制御することを特徴とする。
【０００８】
さらに、第３の発明は、上記第１の発明において、上記制御手段は、上記第１の撮像素子の駆動による静止画の撮像中、上記表示手段に表示されているライブビュー像を消失させ、撮像動作中であることを表示させるようにしたことを特徴とする。
【０００９】
さらに、第４の発明は、上記第１の発明において、上記制御手段は、上記第１の撮像素子の駆動による静止画の撮像中及び、静止画の撮像が終了した後であって上記第１の撮像素子の駆動を停止状態にしてから上記第２の撮像素子の駆動開始までの間、上記表示手段の表示を撮像動作中であることを示す表示としたことを特徴とする。
【００１０】
さらに、第５の発明は、上記第３または第４の発明において、上記撮像動作中であることを示す表示は、上記表示手段の表示の色を単色で示すようにしたことを特徴とする。
【００１１】
上記目的を達成するために本発明の第６の発明に係わる一眼レフレックスカメラは、非撮像時には、撮影レンズによって結像された被写体像を光学ファインダによって観察可能とし、撮像時には光路から退避して上記撮影レンズによって結像された被写体像を記録用の第１の撮像素子に撮像させる反射ミラーを有する一眼レフレックスカメラにおいて、上記非撮像時に、上記撮影レンズによって結像された被写体像をライブビュー観察用として撮像する第２の撮像素子と、少なくとも上記第２の撮像素子によって撮像された被写体像をライブビューとして表示させる表示手段と、撮像動作を指示するレリーズ手段と、上記第１及び第２の撮像素子を選択的に制御する制御手段を具備し、上記制御手段は、上記表示手段にライブビューが表示されている状態で上記撮像動作の指示がなされた場合に、上記反射ミラーを上記光路から退避させるための駆動を開始させるとともに上記第２の撮像素子を停止状態にして上記表示手段の表示の色を単色で表示させ、その後、上記第１の撮像素子の駆動による静止画の撮像終了後に上記第２の撮像素子の駆動を開始させた後に上記表示手段をライブビュー表示となるように制御することを特徴とする。
【発明の効果】
【００１２】
本発明によれば、第２の撮像素子が駆動され表示手段にライブビューが表示されている状態で撮像動作の指示がなされた場合に、反射ミラーを光路から退避させるための駆動を開始させ、更に、反射ミラーが退避側へ駆動されている最中に、第２の撮像素子を停止状態にするとともに上記第１の撮像素子の駆動を開始させるように制御する制御手段を設けたので、ライブビュー表示時に撮影動作を開始した際のタイムラグを短くした一眼レフレックスカメラを提供することができる。
【発明を実施するための最良の形態】
【００１３】
以下、図面に従って本発明を適用した電子撮像装置としての機能を有するデジタル一眼レフレックスカメラを用いて好ましい実施形態について説明する。
図１は本実施形態に係わるデジタル一眼レフレックスカメラの電気的構成を主に示すブロック図である。レンズ鏡筒の内部には、ピント調節および焦点距離調節用の撮影レンズ１１が配置されており、この撮影レンズ１１は図示しない駆動機構によって駆動される。カメラ本体内であって、撮影レンズ１１の光軸（撮影光路）上には、可動ミラー１２が配置されている。この可動ミラー１２は、ファインダ光学系によって被写体像を観察するときには、実線で示されるように光軸に対して４５度の傾きで下降している。一方、レリーズ釦と連動するレリーズスイッチ３４によって撮影動作が指示されたとき、可動ミラー１２は、二点鎖線で示されるように一端を中心にして回動上昇し、光軸に対して並行状態となる。
【００１４】
可動ミラー１２の背後には、フォーカルプレーンタイプのシャッタ１３が配置されている。このシャッタ１３は先幕と後幕から構成され、先幕の走行後、シャッタ時間に応じた時間経過後に後幕が走行する構成となっている。このシャッタ１３の背後には、第１撮像素子としてのメインＣＣＤ（Charge Coupled Devices）１４が配置されている。メインＣＣＤ１４は、撮影レンズ１１によって結像された被写体像を光電変換するための二次元撮像素子である。このメインＣＣＤ１４は、第１の信号処理回路の一部としてのタイミングジェネレータ（以下、「ＴＧ」と称す）１５に接続されており、このＴＧ１５からメインＣＣＤ１４のアナログ画像信号の読み出し等に使用される同期信号が供給される。また、メインＣＣＤ１４の出力は、第１の信号処理回路の一部としての信号処理回路（アナログ  フロント  エンド回路、以下「ＡＦＥ」と称す）１６に接続されている。このＡＦＥ１６は、メインＣＣＤ１４から画像信号を読み出し、後述するサブＣＣＤ２４の出力とのバラツキ調整を行い、またアナログ画像信号の増幅（ゲイン調整）を行いうと共に、アナログ画像信号をデジタル信号に変換するＡＤ変換を行うための回路である。なお、ＴＧ１５とＡＦＥ１６は、同期をとるために接続されている。
【００１５】
可動ミラー１２が下降状態にある際の反射光路中にはファインダ光学系を構成するハーフミラー１７が配置されている。このハーフミラー１７によって被写体光束の一部が反射される光路中には、ファインダ光学系を構成する接眼レンズ１８が配置されている。また、ハーフミラー１７の透過光路中には、第２の撮像素子としてのサブＣＣＤ２４が配置されている。サブＣＣＤ２４もまた撮影レンズ１１によって結像された被写体像を光電変換するための二次元撮像素子である。なお、前述のメインＣＣＤ１４及びサブＣＣＤ２４は、ＣＣＤ以外にも、ＣＭＯＳ（Complementary Metal Oxide Semiconductor）等の二次元撮像素子を使用できることはいうまでもない。また、サブＣＣＤ２４の画素数は、被写体表示用に使用されることから、メインＣＣＤ１４の画素数よりも少ないものでも十分である。サブＣＣＤ２４には、タイミングジェネレータＴＧ１５と同様の機能を果たすタイミングジェネレータＴＧ２５と、ＡＦＥ１６と同様の機能を果たすＡＦＥ２６が接続されている。
【００１６】
信号処理回路ＡＦＥ１６とＡＦＥ２６の各出力は、切換スイッチ回路２７に接続されている。この切換スイッチ回路２７は、ＳＯＣ３０からセレクタ信号を入力すると共に、このセレクタ信号に応じてＡＦＥ１６およびＡＦＥ２６のいずれか一方を選択し切り換えてＳＯＣ３０に出力するよう接続されている。タイミングジェネレータＴＧ１５とＴＧ２５の各入力は、切換スイッチ回路２８に接続されており、この切換スイッチ回路２８は、ＳＯＣ３０からのセレクタ信号を入力すると共に、ＳＯＣ３０から出力される同期信号を、ＴＧ１５及びＴＧ２５のいずれか一方を選択し切り換えて入力するように接続されている。
【００１７】
ＳＯＣ３０は内部にＣＰＵを含んでいる特定用途向け集積回路（ＡＳＩＣ（Application Specific Integrated Circuit））であって、前述のタイミングジェネレータＴＧ１５、ＴＧ２５に制御用シリアル信号を出力し、信号処理回路ＡＦＥ１６とＡＦＥ２６に制御用シリアル信号を出力し、切換スイッチ回路２７、２８にセレクタ信号を出力し、切換スイッチ回路２８に同期信号を出力すると共に、切換スイッチ２７を介してＡＦＥ１６またはＡＦＥ２６の出力信号を入力するように接続されている。また、後述する液晶モニタ（以下、「ＬＣＤ」と称す）３１、ＲＡＭ（Random Access Memory）３２、メモリカード３３、レリーズスイッチ３４と接続されている。
【００１８】
ＬＣＤ３１はカメラ本体の背面に配置されており、被写体画像や撮影モード、メニューモード画面を表示する表示部として機能する。ＲＡＭ３２は、一時的にメインＣＣＤ１４やサブＣＣＤ２４の出力に基づく画像データを記憶するメモリである。メモリカード３３は、ｘDピクチャーカード(登録商標)、コンパクトフラッシュ(登録商標)、ＳＤメモリカード(登録商標)またはメモリスティック(登録商標)等の書換え可能な記録媒体であって、カメラ本体に対して装填可能となっている。レリーズスイッチ３４は、レリーズ釦の半押し動作でオンとなり撮影準備動作を指令する１ｓｔレリーズ、レリーズ釦の全押し動作でオンとなり、撮影動作を指令する２ｎｄレリーズを含むレリーズスイッチから構成される。
【００１９】
ＳＯＣ３０は、以上の各回路等に接続され、切換スイッチ２７を介して入力するデジタル画像信号に対して、色補正、ガンマ(γ)補正、コントラスト補正、白黒・カラーモード処理等の画像処理を行う回路であり、また、デジタル画像データをＪＰＥＧ（Joint Photographic Coding Experts Group）等の方式で画像圧縮し、またＪＰＥＧ方式で記録されたデジタル画像データの伸張を行い、さらに前述のＬＣＤ３１での表示制御や、メモリカード３３にデジタル画像データの書き込みや読み出しの制御を行う。
【００２０】
次に、本実施形態におけるデジタル一眼レフレックスカメラの動作について図２及び図３に示すフローチャートを用いて説明する。ＳＯＣ３０内のＣＰＵはマルチタスク処理を行っており、図２に示すメインＣＣＤ制御用のフローチャートと、図３に示すサブＣＣＤ制御用のフローチャートは並行して処理される。
まず、図３に示すメインＣＣＤ制御のフローは、２ｎｄレリーズがオンとなるまで待機状態にあり（＃０１）、一方、図４に示すサブＣＣＤ制御のフローはデジタル一眼レフレックスカメラに電源がオンとなることによりスタートする。このとき可動ミラー１２は下降しており、撮影レンズ１１を通過し、可動ミラー１２に反射された被写体光束はサブＣＣＤ２４上に結像する。
【００２１】
２ｎｄレリーズがオンとなるまでは、サブＣＣＤ２４の出力に基づいて、ＬＣＤ３１に被写体像の表示を行う。即ち、サブＣＣＤ２４、ＴＧ２５、ＡＦＥ２６に電源が供給され、これらの回路が動作すると共に、ＳＯＣ３０から出力される同期信号は切換スイッチ回路２８、ＴＧ２５を介してサブＣＣＤ２４に供給される。これによって、サブＣＣＤ２４からアナログ画像信号が読み出され、ＡＦＥ２６にてデジタル画像信号に変換された後、切換スイッチ回路２７を介してＳＯＣ３０に送られる。ＳＯＣ３０は画像処理等を行って、ＬＣＤ３１に被写体画像の表示を行う。このようにレリーズ釦によって撮影動作が指示されるまでは、メインＣＣＤ１４は停止したままであり、一方サブＣＣＤ２４は動作状態となっている。また、切換スイッチ回路２８はＴＧ２５に対して同期信号を供給し、切換スイッチ回路２７はサブＣＣＤ２４の出力を選択してＳＯＣ３０に出力している。
【００２２】
サブＣＣＤ２４の出力読み出しからＬＣＤ３１での表示までの一連の動作はサブＣＣＤ同期信号に同期して実行される。図３に示すサブＣＣＤ制御がスタートすると、まず、サブＣＣＤ露光・読み出し設定がなされる（＃４１）。これはサブＣＣＤ２４で被写体像を露光するための条件、例えば、１０１Ａにおける露光時間の設定と、１０３Ａにおける読み出し用の感度等を、ＳＯＣ３０が制御用シリアル信号にのせてＴＧ２５及びＡＦＥ２６に送る。この設定動作は、図４の設定１０１Ａや１０３Ａに示す如く、同期信号の立下りに応答して実行する。即ち、１０１Ａで露光の設定を行い、サブＣＣＤ２４は、この設定１０１Ａに基づいて露光動作１０２Ａを行う。そして、１０３Ａで読み出し設定を行い、ＴＧ２５で読み出し動作を行う。なお、１０３Ａで行われる読み出しの設定は、例えば、転送路のパルス波形等である。設定が終わると、サブＣＣＤ２４から画像信号の読み出し１０４Ａを行う。
【００２３】
ステップ＃４３にて、サブＣＣＤ２４における露光動作１０２Ｂ及び同時に行われる読み出し動作１０４Ａの終了を待ち、読み出し動作が終了すると、ステップ＃４５にて、ライブビュー停止指示があったか否かについて判定する。このライブビュー停止指示は、後述する図２のフローチャートのステップ＃０７にて出されるが、ここでは、未だ指示が出されていないので、ステップ＃４７に進む。このステップにて、ＳＯＣ３０は各種の画像処理を行い（図４の１０５Ａ参照）、この画像処理が終了すると（＃６１）、ＬＣＤ３１の表示更新、即ち、表示用の画像データの書き込みを行う（図４の１０６Ａ参照）。表示更新が終了すると、更新された画像データに基づいてＬＣＤ３１は表示を行う（図４の１０７参照）。このように、２ｎｄレリーズがオンとなるまで、即ち、撮影動作が開始されるまでは、前述の設定（１０１Ａ、１０１Ｂ・・・）、露光（１０２Ａ、１０２Ｂ・・・）、設定（１０３Ａ、１０３Ｂ・・・）、読み出し（１０４Ａ、１０４Ｂ・・・）、画像処理（１０５Ａ、１０５Ｂ・・・）、ＬＣＤ表示更新（１０６Ａ、１０６Ｂ・・・）が繰り返し行われ、サブＣＣＤ２４の出力に基づいて、被写体画像がＬＣＤ３１にライブビュー表示される。
【００２４】
次に、２ｎｄレリーズスイッチがオンとなり、撮影動作が開始した場合について説明する。なお、２ｎｄレリーズスイッチがオンとなる前に、１ｓｔレリーズスイッチがオンとなった場合には、測光回路（図示せず）の出力に基づいて露光演算を行い、また測距回路（図示せず）の出力に基づいてピント合わせ動作を行っている。
【００２５】
２ｎｄレリーズスイッチがオンとなるまで検出待ちの状態であるが（＃０１）、オンとなると、ステップ＃０３に進む。このステップでは、可動ミラー１２のアップ動作を開始させ、図１の二点鎖線で示すアップ位置に向けて上昇する（図５参照）。続いてライブビュー表示を停止する（＃０５）。ライブビュー停止をサブＣＣＤ２４に指示すると、図３のステップ＃４５においてライブビュー停止指示ありと判定されて、ステップ＃４９に進み、同期信号発振停止等、サブＣＣＤ２４の停止処理を行う。このサブＣＣＤ２４の停止処理の結果、図６に示すように、露光１０２Ｍと読み出し１０４Ｌで取得した情報は、利用することなく廃棄され、無効となる。
【００２６】
また、ライブビュー停止指示に続いて、ステップ＃０７では、ＬＣＤ３１の表示更新１０８（図６参照）を行う。ＬＣＤ更新表示１０６Ａ、１０６Ｂ・・・１０６Ｊ、１０６Ｋは、露光・読み出しされた被写体像データに基づいて被写体像の更新を行っていたが、ステップ＃０７でのＬＣＤ更新表示１０８は被写体像を表示せずに画面全体を黒画面とする。即ち、通常の被写体像の更新とは異なり、撮影動作が開始されたことを撮影者に告知するために被写体像を消失させ、画面全体を黒画面にするものである。なお、本実施形態では、画面全体を黒画面にするが、これに限らず、画面全体を単色表示するとか、パターン表示するとか、文字や記号等を表示するとか、種々の表示方法がある。いずれにしても、撮影者が撮影中であることを認識できる告知手段であれば構わない。
【００２７】
メインＣＣＤ１４は、サブＣＣＤ２４が停止したことを知らせる停止済み通知の待ち状態となり（＃０９）、サブＣＣＤ２４は、ステップ＃４９での露光動作および読み出し処理が終了すると、サブＣＣＤ２４の停止済み通知を行う（＃５１）。これ以降、メインＣＣＤ１４による撮像動作が終了し、サブＣＣＤ２４の出力に基づく表示再開まで、サブＣＣＤ２４は停止状態のままとなる（＃５１、＃５３）
【００２８】
メインＣＣＤ１４は、サブＣＣＤ２４の出力に基づくライブビュー表示が停止したことの通知を受けると、ステップ＃１１に進む。このステップでは、メインＣＣＤ１４のイニシャライズするために初期設定（図５の１１０）を行い、続いて、電荷掃き出しや同期信号の発振開始および初期設定のための情報の送信等を行う（図５の１１１）。この後、可動ミラー１２のアップ動作が終了するのを待つ（＃１３）。可動ミラーのアップが終了すると、ＣＣＤ２４による露光動作のための条件、例えば、露光時間、感度等の設定を行い（＃１５、図５の１１２）、メインＣＣＤ１４の露光動作を開始させ（図５の１１３）、またシャッタ１３の先幕の走行を開始させる（＃１７）。設定された露光時間が経過するのを待ち（＃１９）、この露光時間が経過すると、シャッタ１３の後幕の走行を開始させる（＃２１）。続いて、メインＣＣＤ１４から画素信号を読み出すための読み出し設定を行うと共に（＃２３、図５の１１４）、可動ミラー１２のダウン動作を開始させる（＃２５）。この後、設定情報に基づいてメインＣＣＤ１４の画素信号の読み出しを行い（図５の１１５）、この読み出しの終了を待つ（＃２７）。読み出しが終了すると、同期信号の発振停止等、メインＣＣＤ１４の停止処理を行う（＃２９）。
【００２９】
２ｎｄレリーズに応答したメインＣＣＤ１４の撮像動作はステップ＃２９にて終了し、以降、撮像動作で得られた画像信号をメモリカード３３に記録すると共に、並行してサブＣＣＤ２４の出力に基づくライブビュー表示の再開動作を行う。まず、サブＣＣＤ２４に対してライブビュー再開の指示を出す（＃３１）。再開指示を受けると（＃５３）、サブＣＣＤ２４は開始処理として、例えば、同期信号の発振開始、初期設定の信号送信や電荷掃き出し等の初期化を行う（＃５５）。続いて、サブＣＣＤ２４の露光設定（例えば、露光時間等）を行い（＃５７）、露光を開始させ（図６の１０４Ｎ）、その設定された露光が終了するのを待つ（＃５９）。このステップでは、再開後最初のフレームであり、露光のみが行われ読み出し設定は必要ない。露光が終了すると、ステップ＃４１に戻り、露光・読み出し設定等、前述のステップを繰り返す。
【００３０】
一方、メインＣＣＤ１４は、ライブビュー表示の再開指示（＃３１）を出した後、メインＣＣＤ１４から読み出した画像信号について画像処理を行う（図５および図６の１１６）。ここでの画像処理は、色補正、ガンマ(γ)補正、コントラスト補正、白黒・カラーモード処理等の画像処理に加えて、デジタル画像データをＪＰＥＧ（Joint Photographic Coding Experts Group）等の方式で画像圧縮を行う。画像処理が終了すると、ステップ＃３５にて、メモリカード３３に、圧縮された画像データの記録を行い、メインＣＣＤ１４の制御処理を終了する（図５および図６の１１７）。
【００３１】
本発明の実施形態においては、撮影レンズ１１によって結像された被写体像を記録用に撮像する第１の撮像素子としてのメインＣＣＤ１４と、被写体光束に基づいて被写体像を光学的に表示するための被写体像観察光学系を構成する可動ミラー１２、ハーフミラー１７、接眼レンズ１８と、  この被写体像観察光学系中に配置された第２の撮像素子としてのサブＣＣＤ２４と、メインＣＣＤ１４とサブＣＣＤ２４の出力を切り換えるための切換部としての切換スイッチ回路２７と、この切換スイッチ回路２７によって切り換えられたメインＣＣＤ１４またはサブＣＣＤ２４の出力に基づいて被写体像を表示する表示部としてのＬＣＤ３１と、撮影動作を指示するレリーズ釦に連動するレリーズスイッチ３４と、レリーズ釦によって撮影動作が指示されるまでは、サブＣＣＤ２４を動作させると共に、切換スイッチ回路２７対してサブＣＣＤ２４の出力を選択させ、レリーズ釦によって撮影動作が指示されると直ちにメインＣＣＤを動作させるとともに、切換スイッチ回路２７に対してメインＣＣＤ１４の出力を選択させるように制御する制御部としてのＳＯＣ３０とを設けているので、ライブビュー表示時に撮影動作を開始した際のタイムラグを短くすることができる。特に、本実施形態では、撮影動作開始の２ｎｄレリーズに応答して、ミラーアップ中にサブＣＣＤ２４からメインＣＣＤ１４へ切換えを行うので、ＣＣＤの切換えによるタイムラグを短縮することができる。
【００３２】
また、本発明の実施形態において、被写体画像記録用に被写体像を撮像するための第１の撮像素子としてのメインＣＣＤ１４と、被写体像観察用に被写体像を撮像するための第２の撮像素子としてのサブＣＣＤ２４と、メインＣＣＤ１４およびサブＣＣＤ２４のいずれか一方を選択し、その出力に基づいて上記被写体像を表示する表示部としてのＬＣＤ３１を設け、ＬＣＤ３１がサブＣＣＤ２４の出力に基づいて被写体像の表示を行っている際に、撮影動作開始が指示された場合には、ＬＣＤ３１は被写体像の表示を消失させるようにしたので、撮影動作中であることを容易に視認することができる。特に本実施形態では、２ｎｄレリーズに応じて、ＬＣＤ３１の画面から被写体像の表示を消失するようにしているので、撮影者は撮影動作になったことを容易に理解できる。
【００３３】
従来からレリーズ信号が出力されて露光状態となる際には、光学ファインダ内の液晶の透過率を一時的に低下させて撮影されたことを撮影者に告知する技術や（特開２０００−１０１７５、文献１）、ＡＥロック動作でストロボ発光するＦＥロックの際にモニタ画面上に著しい乱れが表示されることを防止するために、ライブビュー表示の更新を停止する技術（特開２００２−２１８３１８、文献２）が知られている。しかし、文献１は光学ファインダを対象としたものであり、文献２はライブビュー表示を対象としているが、撮影動作中であることの表示については触れられていない。ライブビュー表示中にレリーズ釦が操作され、撮像動作を開始した際に、表示装置に撮像素子の出力に基づいて画像が表示されていると、いつ撮影を開始したのか、また撮影動作中であるか否かが分からず、使い勝手がよくないという不都合が生ずる。本実施形態では、表示部が第２の撮像素子の出力に基づいて被写体像の表示を行っている際に、撮影動作開始が指示された場合には、表示部は被写体像の表示を消失させるようにしたので、撮影動作中であることを容易に視認できるという効果を達成することができる。
【００３４】
なお、本実施形態の図２および図３に示したフローチャートは、タイムラグを短くするという趣旨の範囲であれば、適宜順番を変えることは可能である。例えば、ステップ＃１５のメインＣＣＤの露光設定は、可動ミラー１２のアップが完了してから実行していたが、手順はこれに限らず、可動ミラー１２のアップが完了する前にメインＣＣＤの露光設定を行うこともできる。
また、本実施形態では、一眼レフレックスカメラの電源がオンとなると、ライブビュー表示が動作するように構成したが、ライブビュー表示を指令するための操作部材を設け、ライブビュー表示指令がなされるまでは、通常の光学式ファインダによる被写体像の観察を行うようにし、ライブビュー表示指令がなされると、図３に示したサブＣＣＤ制御を実行し、ライブビュー表示を行うようにしても良い。
【図面の簡単な説明】
【００３５】
【図１】本発明を適用した実施形態におけるデジタル一眼レフレックスカメラの電気系を示すブロック図である。
【図２】本実施形態におけるデジタル一眼レフレックスカメラのメインＣＣＤの動作を主に表すフローチャートである。
【図３】本実施形態におけるデジタル一眼レフレックスカメラのサブＣＣＤの動作を主に表すフローチャートである。
【図４】本実施形態におけるデジタル一眼レフレックスカメラのメインＣＣＤの動作を表すタイミングチャートである。
【図５】本実施形態におけるデジタル一眼レフレックスカメラのサブＣＣＤの動作を表すタイミングチャートである。
【図６】本実施形態におけるデジタル一眼レフレックスカメラの撮影動作開始時の動作を表すタイミングチャートである。
【符号の説明】
【００３６】
１１・・・撮影レンズ、１２・・・可動ミラー、１３・・・シャッタ、１４・・・メインＣＣＤ、１５・・・ＴＧ、１６・・・ＡＦＥ、１７・・・ハーフミラー、１８・・・接眼レンズ、２４・・・サブＣＣＤ、２５・・・ＴＧ、２６・・・ＡＦＥ、２７・・・切換スイッチ回路、２８・・・切換スイッチ回路、３０・・・ＳＯＣ（ＡＳＩＣ）、３１・・・ＬＣＤ、３２・・・ＲＡＭ、３３・・・メモリカード、３４・・・レリーズスイッチ
【図１】
2007243561.tif 000003
【図２】
2007243561.tif 000004
【図３】
2007243561.tif 000005
【図４】
2007243561.tif 000006
【図５】
2007243561.tif 000007
【図６】
2007243561.tif 000008